(57)【要約】  空気調和機（１００）は、室内熱交換器（１５）と、室内ファン（１６）と、室内ファン（１６）をブラシ（２４ｂ）で清掃するファン清掃部（２４）と、ファン清掃部（２４）を室内ファン（１６）に接触させる制御部（３０）と、を備え、制御部（３０）は、室内ファン（１６）に接触するブラシの角度を変更するブラシ角度変更手段（３１ｂ１）を有する。
2019220489.tif 000002
【特許請求の範囲】
【請求項１】
室内熱交換器と、
送風ファンと、
前記送風ファンをブラシで清掃するファン清掃部と、
前記ファン清掃部を前記送風ファンに接触させる制御部と、を備え、
前記制御部は、前記送風ファンに接触する前記ブラシの角度を変更するブラシ角度変更手段を有する空気調和機。
【請求項２】
前記ブラシの角度を空調制御端末に表示し、前記ブラシの角度を調整可能なブラシ角度調整モードを備える
ことを特徴とする請求項１に記載の空気調和機。
【請求項３】
前記ファン清掃部は、前記ブラシの角度を変更する駆動装置を備え、
前記制御部は、前記駆動装置によって前記ブラシを所定角度まで駆動させた後に、前記送風ファンの清掃中に前記駆動装置に前記所定角度で保持するための保持電流を流す
ことを特徴とする請求項１に記載の空気調和機。
【請求項４】
前記制御部は、前記ブラシを前記送風ファンにあてる直前に前記ブラシの回動速度を減速させる
ことを特徴とする請求項１に記載の空気調和機。
【請求項５】
室内熱交換器と、
送風ファンと、
前記送風ファンをブラシで清掃するファン清掃部と、
前記ファン清掃部を前記送風ファンに接触させる制御部と、を備え、
前記制御部は、前記ファン清掃部で前記送風ファンを清掃する際に、前記送風ファンの回転速度を初期設定時から変更する回転速度変更手段を有する空気調和機。
【請求項６】
前記送風ファンの清掃時間を空調制御端末に表示し、前記送風ファンの清掃時間を調整可能な清掃時間調整モードを備える
ことを特徴とする請求項５に記載の空気調和機。
【請求項７】
運転回数、又は／及び、運転積算時間を記憶する記憶部を備え、
前記制御部は、前記運転回数、又は／及び、前記運転積算時間に基づいて、前記ブラシの角度又は前記送風ファンの回転速度を変更する
ことを特徴とする請求項１又は請求項６に記載の空気調和機。
【発明の詳細な説明】
【技術分野】
【０００１】
本発明は、空気調和機に関する。
【背景技術】
【０００２】
空気調和機の室内ファン（ファン）を清掃する技術として、例えば、特許文献１には、「ファンの塵埃を除去するためのファン清掃装置」を備えるものが記載されている。また、特許文献１の図１には、ファン清掃装置が室内ファンの吹出口付近に設置された構成について記載されている。
【先行技術文献】
【特許文献】
【０００３】
【特許文献１】特許４０４６７５５号公報
【発明の概要】
【発明が解決しようとする課題】
【０００４】
特許文献１に記載の技術では、ファン清掃部が、ファンの回転開始前にファンに当接している。このため、ファンが回転を開始する際、ファン清掃部に負荷が掛かりファン清掃部が劣化し易くなる、また、ファン清掃部が劣化すると、ファン清掃が十分にできなくなる、などの問題があった。【０００５】
そこで、本発明は、ファン清掃部が劣化した場合にもファン清掃が適切にできる空気調和機を提供することを課題とする。
【課題を解決するための手段】
【０００６】
前記課題を解決するために、本発明に係る空気調和機は、室内熱交換器と、送風ファンと、送風ファンをブラシで清掃するファン清掃部と、ファン清掃部を送風ファンに接触させる制御部と、を備え、制御部は、送風ファンに接触するブラシの角度を変更するブラシ角度変更手段を有することを特徴とする。本発明のその他の態様については、後記する実施形態において説明する。
【発明の効果】
【０００７】
本発明によれば、ファン清掃部が劣化した場合にもファン清掃が適切にできる。
【図面の簡単な説明】
【０００８】
【図１】実施形態に係る空気調和機の冷媒回路を示す説明図である。
【図２】実施形態に係る空気調和機が備える室内機の側断面構成を示す説明図である。
【図３】実施形態に係る空気調和機が備える室内機の一部を切り欠いた斜視図である。
【図４】実施形態に係る空気調和機において、空調運転中におけるファン清掃部付近の空気の流れを示す説明図である。
【図５】実施形態に係る空気調和機の制御機能を示すブロック図である。
【図６Ａ】ブラシ角度変更手段によるブラシの変更角度を示す説明図であり、ブラシの向きがブラシ基準線に対し下向きの場合である。
【図６Ｂ】ブラシ角度変更手段によるブラシの変更角度を示す説明図であり、ブラシの向きがブラシ基準線に対し上向きの場合である。
【図７】実施形態に係る空気調和機のリモコンの外観を示す説明図である。
【図８Ａ】ファン清掃モードの表示例を示す説明図であり、ブラシ角度調整の場合である。
【図８Ｂ】ファン清掃モードの表示例を示す説明図であり、清掃時間調整の場合である。
【図９】実施形態に係る空気調和機の制御部が実行する制御処理を示すフローチャートである。
【図１０Ａ】実施形態に係る空気調和機において、室内ファンの清掃中の状態を示す説明図である。
【図１０Ｂ】実施形態に係る空気調和機において、室内熱交換器の解凍中の状態を示す説明図である。
【図１１】実施形態に係る空気調和機の制御部が実行するファン清掃処理を示すフローチャートである。
【図１２】実施形態に係るファン清掃中のファン清掃部が室内ファンに当節又は離間する期間を示す説明図である。
【図１３】本発明の別の変形例に係る空気調和機が備える室内ファン及びファン清掃部を示す模式的な斜視図である。
【発明を実施するための形態】
【０００９】
本発明を実施するための実施形態について、適宜図面を参照しながら詳細に説明する。
図１は、実施形態に係る空気調和機１００の冷媒回路Ｑを示す説明図である。図１の実線矢印は、暖房運転時における冷媒の流れを示している。図１の破線矢印は、冷房運転時における冷媒の流れを示している。図１に示すように、空気調和機１００は、圧縮機１１と、室外熱交換器１２と、室外ファン１３と、膨張弁１４と、を備えている。また、空気調和機１００は、前記した構成の他に、室内熱交換器（熱交換器）１５と、室内ファン（送風ファン）１６と、四方弁１７と、を備えている。
【００１０】
圧縮機１１は、圧縮機モータ１１ａの駆動によって、低温低圧のガス冷媒を圧縮し、高温高圧のガス冷媒として吐出する機器である。室外熱交換器１２は、その伝熱管（図示せず）を通流する冷媒と、室外ファン１３から送り込まれる外気と、の間で熱交換が行われる熱交換器である。
【００１１】
室外ファン１３は、室外ファンモータ１３ａの駆動によって、室外熱交換器１２に外気を送り込むファンであり、室外熱交換器１２の付近に設置されている。膨張弁１４は、「凝縮器」（冷房運転の場合は室外熱交換器１２、暖房運転の場合は室内熱交換器１５）で凝縮した冷媒を減圧する弁である。なお、膨張弁１４において減圧された冷媒は、「蒸発器」（冷房運転の場合は室内熱交換器１５、暖房運転の場合は室外熱交換器１２）に導かれる。
【００１２】
室内熱交換器１５は、その伝熱管ｇ（図２参照）を通流する冷媒と、室内ファン１６から送り込まれる室内空気（空調対象空間の空気）と、の間で熱交換が行われる熱交換器である。室内ファン１６は、室内ファンモータ１６ｍ（図５参照）の駆動によって、室内熱交換器１５に室内空気を送り込むファンであり、室内熱交換器１５の付近に設置されている。
【００１３】
四方弁１７は、空気調和機１００の運転モードに応じて、冷媒の流路を切り替える弁である。例えば、冷房運転時（図１の破線矢印を参照）には、圧縮機１１、室外熱交換器１２（凝縮器）、膨張弁１４、及び室内熱交換器１５（蒸発器）が、四方弁１７を介して環状に順次接続されてなる冷媒回路Ｑにおいて、冷凍サイクルで冷媒が循環する。
【００１４】
一方、暖房運転時（図１の実線矢印を参照）には、圧縮機１１、室内熱交換器１５（凝縮器）、膨張弁１４、及び室外熱交換器１２（蒸発器）が、四方弁１７を介して環状に順次接続されてなる冷媒回路Ｑにおいて、冷凍サイクルで冷媒が循環する。
【００１５】
なお、図１に示す例では、圧縮機１１、室外熱交換器１２、室外ファン１３、膨張弁１４、及び四方弁１７が、室外機Ｕｏに設置されている。一方、室内熱交換器１５及び室内ファン１６は、室内機Ｕｉに設置されている。
【００１６】
図２は、実施形態に係る空気調和機１００が備える室内機Ｕｉの側断面構成を示す説明図である。室内機Ｕｉは、前記した室内熱交換器１５や室内ファン１６の他に、露受皿１８と、筐体ベース１９と、フィルタ２０ａ，２０ｂと、前面パネル２１と、左右風向板２２と、上下風向板２３と、ファン清掃部２４と、を備えている。なお、図２では、ファン清掃部２４による室内ファン１６の清掃が行われていない状態を図示している。
【００１７】
室内熱交換器１５は、複数のフィンｆと、それらのフィンｆを貫通する複数の伝熱管ｇと、を有している。また、別の観点から説明すると、室内熱交換器１５は、前側室内熱交換器１５ａと、後側室内熱交換器１５ｂと、を有している。前側室内熱交換器１５ａは、室内ファン１６の前側に配置されている。一方、後側室内熱交換器１５ｂは、室内ファン１６の後側に配置されている。そして、前側室内熱交換器１５ａの上端部と、後側室内熱交換器１５ｂの上端部と、が接続されている。
【００１８】
露受皿１８は、室内熱交換器１５の凝縮水を受けるものであり、室内熱交換器１５（図２に示す例では、前側室内熱交換器１５ａ）の下方に配置されている。
【００１９】
室内ファン１６は、例えば、円筒状のクロスフローファンであり、室内熱交換器１５の付近に配置されている。室内ファン１６は、複数のファンブレード１６ａと、これらのファンブレード１６ａが設置される仕切板１６ｂと、駆動源である室内ファンモータ１６ｍ（図５参照）と、を備えている。
【００２０】
なお、室内ファン１６は、親水性のコーティング剤でコーティングされていることが好ましい。このようなコーティング材として、例えば、親水性材料であるイソプロピルアルコール分散シリカゾルに、バインダー（加水分解性基を有するケイ素化合物）、ブタノール、テトラヒドロフラン、及び抗菌剤を添加したものを用いてもよい。
【００２１】
これによって、室内ファン１６の表面に親水性膜が形成されるため、室内ファン１６の表面の電気抵抗値が小さくなり、室内ファン１６に塵埃が付着しにくくなる。つまり、室内ファン１６の駆動中、空気との摩擦に伴う静電気が室内ファン１６の表面に生じにくくなるため、室内ファン１６への塵埃の付着を抑制できる。このように、前記したコーティング剤は、室内ファン１６の帯電防止剤としても機能する。
【００２２】
図２に示す筐体ベース１９は、室内熱交換器１５や室内ファン１６等の機器が設置される筐体である。フィルタ２０ａは、前側の空気吸込口ｈ１に向かう空気から塵埃を除去するものであり、室内熱交換器１５の前側に設置されている。フィルタ２０ｂは、上側の空気吸込口ｈ２に向かう空気から塵埃を除去するものであり、室内熱交換器１５の上側に設置されている。
【００２３】
前面パネル２１は、前側のフィルタ２０ａを覆うように設置されるパネルであり、下端を軸として前側に回動可能になっている。なお、前面パネル２１が回動しない構成であってもよい。
【００２４】
左右風向板２２は、室内ファン１６の回転に伴って室内に吹き出される空気の左右方向の流れを調整する板状部材である。左右風向板２２は、吹出風路ｈ３に配置され、左右風向板用モータ２５（図５参照）によって左右方向に回動するようになっている。上下風向板２３は、室内ファン１６の回転に伴って室内に吹き出される空気の上下方向の流れを調整する板状部材である。上下風向板２３は、空気吹出口ｈ４の付近に配置され、上下風向板用モータ２６（図５参照）によって上下方向に回動するようになっている。
【００２５】
空気吸込口ｈ１，ｈ２を介して吸い込まれた空気は、室内熱交換器１５の伝熱管ｇを通流する冷媒と熱交換し、熱交換した空気が吹出風路ｈ３に導かれる。この吹出風路ｈ３を通流する空気は、左右風向板２２及び上下風向板２３によって所定方向に導かれ、さらに、空気吹出口ｈ４を介して室内に吹き出される。
【００２６】
なお、空気の流れに伴って空気吸込口ｈ１，ｈ２に向かう塵埃の多くは、フィルタ２０ａ，２０ｂで捕集される。しかしながら、細かい塵埃がフィルタ２０ａ，２０ｂを通り抜けて、室内熱交換器１５や室内ファン１６に付着することがある。したがって、室内熱交換器１５や室内ファン１６を定期的に清掃することが望ましい。そこで、本実施形態では、次に説明するファン清掃部２４を用いて室内ファン１６を清掃した後、室内熱交換器１５を水で洗い流すようにしている。
【００２７】
図２に示すファン清掃部２４は、室内ファン１６を清掃するものであり、室内熱交換器１５と室内ファン１６との間に配置されている。より詳しく説明すると、縦断面視で＜字状を呈する前側室内熱交換器１５ａの凹部ｒに、ファン清掃部２４が配置されている。図２に示す例では、ファン清掃部２４の下方に、室内熱交換器１５（前側室内熱交換器１５ａの下部）が存在するとともに、露受皿１８が存在している。ファン清掃部２４は、例えば、一部がナイロンで構成される。
【００２８】
図３は、実施形態に係る空気調和機１００が備える室内機の一部を切り欠いた斜視図である。ファン清掃部２４は、図３に示す軸部２４ａ及びブラシ２４ｂの他に、ファン清掃用モータ２４ｍ（図５参照）を備えている。軸部２４ａは、室内ファン１６の軸方向に平行な棒状の部材であり、その両端が軸支されている。
【００２９】
ブラシ２４ｂは、ファンブレード１６ａに付着した塵埃を除去するものであり、軸部２４ａに設置されている。ファン清掃用モータ２４ｍ（図５参照）は、例えば、ステッピングモータであり、軸部２４ａを所定角度だけ回転させる機能を有している。
【００３０】
ファン清掃部２４によって室内ファン１６を清掃する際には、室内ファン１６にブラシ２４ｂが接触するように（図１０Ａ参照）、ファン清掃用モータ２４ｍ（図５参照）が駆動されるとともに、室内ファン１６が逆回転される。そして、ファン清掃部２４による室内ファン１６の清掃が終了すると、ファン清掃用モータ２４ｍが再び駆動されてブラシ２４ｂが回動し、室内ファン１６からブラシ２４ｂが離間した状態になる（図２参照）。
【００３１】
本実施形態では、室内ファン１６の清掃時以外では、図２に示すように、ブラシ２４ｂの先端が室内熱交換器１５に臨むようにしている。具体的には、室内ファン１６の清掃時以外（通常の空調運転中も含む）では、ブラシ２４ｂが横方向（略水平）に向いた状態で、室内ファン１６から離間している。このようにファン清掃部２４を配置する理由について、図４を用いて説明する。
【００３２】
図４は、実施形態に係る空気調和機１００において、空調運転中におけるファン清掃部２４付近の空気の流れを示す説明図である。図４に示す各矢印の向きは、空気の流れる向きを示している。また、各矢印の長さは、空気の流れる速さを示している。
【００３３】
通常の空調運転時、室内ファン１６は正回転し、前側室内熱交換器１５ａのフィンｆの隙間を通り抜けた空気が室内ファン１６に向かう。特に、前側室内熱交換器１５ａの凹部ｒの付近では、図４に示すように、室内ファン１６に向かって横方向（略水平の方向）に空気が流れる。
【００３４】
この凹部ｒには、前記したように、ブラシ２４ｂが横方向に向いた状態で、ファン清掃部２４が配置されている。言い換えると、通常の空調運転時、ブラシ２４ｂの向きは空気の流れの方向に平行になっている。このように、ブラシ２４ｂの延在方向と、空気の流れる方向と、が略平行であるため、ファン清掃部２４が空気の流れの妨げになることはほとんどない。
【００３５】
また、室内ファン１６が正回転している場合の空気の流れの中流域・下流域（図２に示す空気吹出口ｈ４の付近）ではなく、上流域にファン清掃部２４が配置されている。そして、ブラシ２４ｂに沿って横方向に通流する空気が、ファンブレード１６ａによって加速され、加速された空気が空気吹出口ｈ４（図２参照）に向かうようになっている。このように、空気が比較的低速で流れる上流域にファン清掃部２４が配置されているため、ファン清掃部２４に起因する風量低下を抑制できる。なお、室内ファン１６が停止しているときにも、図４と同様の状態でファン清掃部２４が維持されてもよい。
【００３６】
図５は、実施形態に係る空気調和機１００の制御機能を示すブロック図である。図５に示す室内機Ｕｉは、前記した構成の他に、リモコン送受信部２７と、室内制御回路３１と、を備えている。リモコン送受信部２７は、リモコン４０（空調制御端末、図７参照）との間で所定の情報をやり取りする。室内制御回路３１は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００３７】
図５に示すように、室内制御回路３１は、記憶部３１ａと、室内制御部３１ｂと、を備えている。記憶部３１ａには、所定のプログラムの他、リモコン送受信部２７を介して受信したデータや、各種センサ（図示せず）の検出値等が記憶される。室内制御部３１ｂは、記憶部３１ａに記憶されたデータに基づいて、ファン清掃用モータ２４ｍ、室内ファンモータ１６ｍ、左右風向板用モータ２５、上下風向板用モータ２６等を実行する。
【００３８】
室内制御部３１ｂは、前記モータ等の実行機能のほか、ファン清掃部２４を室内ファン１６に接触させる機能を有し、室内ファン１６に接触するブラシ２４ｂの角度を自動的に変更する（例えば、図１１、ステップＳ２０２参照）機能、ブラシ２４ｂの角度をリモコン４０に表示し、リモコン４０からの指示によりブラシ角度を変更する機能を有するブラシ角度変更手段３１ｂ１（ブラシ角度調整モード）と、室内ファン１６の清掃時間を自動的に変更する機能、室内ファン１６の清掃時間をリモコン４０に表示し、リモコン４０からの指示により室内ファン１６の清掃時間を変更する機能を有する清掃時間変更手段３１ｂ２（清掃時間調整モード）とを有している。
【００３９】
記憶部３１ａには、空気調和機１００の運転回数、又は／及び、運転積算時間が記憶されている。室内制御部３１ｂは、運転回数、又は／及び、運転積算時間に基づいて、ブラシ２４ｂの角度又は室内ファン１６の回転速度を変更する。
【００４０】
室外機Ｕｏは、前記した構成の他に、室外制御回路３２を備えている。室外制御回路３２は、図示はしないが、ＣＰＵ、ＲＯＭ、ＲＡＭ、各種インタフェース等の電子回路を含んで構成され、通信線を介して室内制御回路３１に接続されている。図５に示すように、室外制御回路３２は、記憶部３２ａと、室外制御部３２ｂと、を備えている。
【００４１】
記憶部３２ａには、所定のプログラムの他、室内制御回路３１から受信したデータ等が記憶される。室外制御部３２ｂは、記憶部３２ａに記憶されたデータに基づいて、圧縮機モータ１１ａ、室外ファンモータ１３ａ、膨張弁１４等を制御する。以下では、室内制御回路３１及び室外制御回路３２を一括して「制御部３０」という。
【００４２】
図６Ａは、ブラシ角度変更手段３１ｂ１によるブラシ２４ｂの変更角度を示す説明図であり、ブラシ２４ｂの向きがブラシ基準線ＢＬに対し下向きの場合である。図６Ｂは、ブラシ角度変更手段３１ｂ１によるブラシ２４ｂの変更角度を示す説明図であり、ブラシ２４ｂの向きがブラシ基準線に対し上向きの場合である。図６Ａ、図６Ｂには、ファン清掃部２４の回転軸の中心２４ｃと室内ファン１６の回転軸の中心１６ｃとを結ぶブラシ基準線ＢＬが規定される。ここでは、中心２４ｃを頂点としてブラシ基準線ＢＬとブラシ２４ｂとのなす角度をαとする。
【００４３】
図６Ａの場合は、ブラシ２４ｂが初期角度に近い角度を示しており、ブラシ基準線ＢＬに対し下向きの場合（例えば、＋α度）である。一方、図６Ｂの場合は、ブラシ２４ｂが劣化した場合を想定して、ブラシ基準線に対し上向けの場合（例えば、−α度）である。室内ファン１６が逆回転の場合、ブラシ角度変更手段３１ｂ１は、図６Ａに示す状態から始め、ブラシ２４ｂの劣化傾向に伴い、図６Ｂに示すブラシ２４ｂの方向に、ブラシ２４ｂの角度をΔαごとに変更してゆくとよい。一方、室内ファン１６が正回転でファン清掃する機種の場合、ブラシ角度変更手段３１ｂ１は、図６Ｂに示す状態から始め、ブラシ２４ｂの劣化傾向に伴い、図６Ａに示すブラシ２４ｂの方向に、ブラシ２４ｂの角度をΔαごとに変更してゆくとよい。ブラシ２４ｂの角度の変更は、室内ファン１６の回転する前、室内ファン１６の回転中のいずれの場合にも変更することができる。
【００４４】
図７は、実施形態に係る空気調和機１００のリモコン４０の外観を示す説明図である。リモコン４０（空調制御端末）は、図７に示すように、表示部４１、冷房ボタン４２、暖房ボタン４３、停止ボタン４４、上下キー４５（＋−キー）、機能ボタン４６、設定ボタン４７等を有している。リモコン４０は、ユーザによって操作され、室内機Ｕｉのリモコン送受信部２７（図５参照）に対して赤外線信号を送信する。当該信号の内容は、運転要求、設定温度の変更、タイマー、運転モードの変更、停止要求等の様々な指令である。空気調和機ＡＣは、これらの信号に基づいて、少なくとも室内の冷房、暖房、除湿等を行うことができる。また、空気清浄等、その他の空気調和の機能を備えていてもよい。すなわち、空気調和機ＡＣは、室内の空気を様々に調整することができる。表示部４１には、現在の運転状態を示す表示がされる。
【００４５】
各種機能は、機能ボタン４６を押下後、表示部４１に表示された機能（例えば、ファン清掃モード）を上下キー４５で選択して設定ボタン４７を押下する。そして、上下キー４５で、設定内容を変更する。具体的には、ブラシ角度調整モードの場合にはブラシ２４ｂの角度（図８Ａ参照）を変更する。清掃時間調整モードの場合には、室内ファン１６の清掃時間（図８Ｂ参照）の変更する。
【００４６】
なお、ファン清掃モードが起動中の場合には、リモコン４０に図８Ａ及び図８Ｂに示す表示画面が適宜自動的に表示され、ユーザや空気調和機のサービス員がブラシ角度又は清掃時間を調整できるようにするとよい。
【００４７】
図８Ａは、ファン清掃モードの表示例を示す説明図であり、ブラシ角度調整の場合である。図８Ｂは、ファン清掃モードの表示例を示す説明図であり、清掃時間調整の場合である。リモコン４０には、ブラシ２４ｂの角度を表示部４１に表示し、ブラシ２４ｂの角度を調整可能なブラシ角度調整モード、室内ファン１６の清掃時間を表示部４１に表示し、室内ファン１６の清掃時間を調整可能な清掃時間調整モード等を有する。
【００４８】
図８Ａに示すブラシ角度調整の場合、上下キー４５で選択することにより、ブラシ角度を所定角度（例えば、Δα）ごとに調整することができる。すなわち、ブラシ角度αは、初期ブラシ角度α０、ブラシ角度調整値ｎ、ブラシ変更の所定角度Δαとすると、
α＝α０−ｎΔα                                ・・・（１）
として変更される。
【００４９】
例えば、リモコン４０の上下キー４５で＋を１回押下する（＋１）場合、ブラシ角度調整値ｎは＋１に対応し、ブラシ角度αはα０−Δαであり、＋を２回押下する（＋２）場合、ブラシ角度調整値ｎは＋２に対応し、ブラシ角度αはα０−２Δαであり、−を１回押下する（−１）の場合、ブラシ角度調整値ｎは−１に対応し、ブラシ角度αはα０＋Δαであり、−を２回押下する（−２）場合、ブラシ角度調整値ｎは−２に対応し、ブラシ角度αはα０＋２Δαである。所定角度Δαは、予め記憶部３１ａ（図５参照）に０．５度、１度などと記憶されている。
【００５０】
図８Ｂに示す清掃時間調整の場合、上下キー４５で選択することにより、清掃時間を所定時間（例えば、ΔＣＴ）ごとに調整することができる。すなわち、清掃時間ＣＴは、初期清掃時間ＣＴ０、清掃時間調整値ｍ、清掃時間の所定時間ΔＣＴとすると、
ＣＴ＝ＣＴ０＋ｍΔＣＴ                          ・・・（２）
として変更される。
【００５１】
例えば、リモコン４０の上下キー４５で＋１の場合、清掃時間調整値ｍは＋１に対応し、清掃時間ＣＴはＣＴ０＋ΔＣＴであり、＋２の場合、清掃時間調整値ｍは＋２に対応し、清掃時間ＣＴはＣＴ０＋２ΔＣＴ、−１の場合、清掃時間調整値ｍは−１に対応し、清掃時間ＣＴはＣＴ０−ΔＣＴ、−２の場合、清掃時間調整値ｍは−２に対応し、清掃時間ＣＴはＣＴ０−２ΔＣＴである。所定時間ΔＣＴは、予め記憶部３１ａ（図５参照）に３秒、５秒などと記憶されている。
【００５２】
制御部３０は、「ファン清掃」を開始する際には、リモコン４０の音声部を介して「室内ファンの清掃を開始します。」のアナウンスをするとよい。これにより、ユーザは、「ファン清掃中」に、ブラシ角度調整、清掃時間調整を行うことがしやすくなる。なお、「ファン清掃」の設定モードを読み出すと、「ファン清掃」中でない場合にも、ブラシ角度調整、清掃時間調整の変更をすることができる。なお、図８Ａ、図８Ｂに示した、ブラシ角度調整、清掃時間調整の詳細については、後記する（図１１参照）。
【００５３】
図９は、実施形態に係る空気調和機１００の制御部３０が実行する制御処理を示すフローチャートである（適宜、図２を参照）。ここでは、図９の「ＳＴＡＲＴ」時には空調運転が行われておらず、また、ブラシ２４ｂの先端が前側室内熱交換器１５ａに臨んだ状態（図２に示す状態）であるものとする。
【００５４】
図９のステップＳ１０１において制御部３０は、ファン清掃部２４によって、室内ファン１６を清掃する。なお、室内ファン１６の清掃を開始するトリガとして、例えば、前回清掃時からの空調運転の積算時間が所定時間に達するという条件が挙げられるが特定のものに限定されない。室内ファン１６の清掃中の状態を図１０Ａを参照して説明する。
【００５５】
図１０Ａは、実施形態に係る空気調和機１００において、室内ファン１６の清掃中の状態を示す説明図である。なお、図１０Ａでは、室内熱交換器１５、室内ファン１６、及び露受皿１８を図示し、他の部材については図示を省略している。
【００５６】
制御部３０は、通常の空調運転時とは逆向きに室内ファン１６を回転(逆回転)させ、室内ファン１６が設定回転速度Ｒｃに達したら、ファン清掃部２４のブラシ２４ｂをブラシ角度変更手段３１ｂ１での変更角度又はリモコン４０から指示された変更角度で、室内ファン１６に接触させる。
【００５７】
つまり、制御部３０は、ブラシ２４ｂの先端が室内熱交換器１５に臨んだ状態（図２参照）から、軸部２４ａを中心にブラシ２４ｂを約１８０−α°回動させ（図６Ａ参照）、ブラシ２４ｂの先端が室内ファン１６に臨むようにする（図１０Ａ参照）。これによって、室内ファン１６のファンブレード１６ａにブラシ２４ｂが接触する。
【００５８】
なお、図１０Ａの例では、一点鎖線Ｌで示すように、ファン清掃部２４が室内ファン１６に接触した状態での接触位置Ｋの下方に、室内熱交換器１５（前側室内熱交換器１５ａ）が存在するとともに、露受皿１８も存在している。
【００５９】
前記したように、室内ファン１６は逆回転しているため、ファンブレード１６ａの移動に伴ってブラシ２４ｂの先端がたわみ、ファンブレード１６ａの背面をなでるようにブラシ２４ｂが押し付けられる。そして、ファンブレード１６ａの先端付近（径方向の端部）に溜まった塵埃が、ブラシ２４ｂによって除去される。
【００６０】
特に、ファンブレード１６ａの先端付近には塵埃が溜まりやすい。なぜなら、室内ファン１６が正回転している空調運転中（図４参照）、ファンブレード１６ａの腹の先端付近に空気が当たり、この先端付近に塵埃が付着するからである。ファンブレード１６ａの先端付近に当たった空気は、ファンブレード１６ａの腹の曲面に沿うようにして、隣り合うファンブレード１６ａ，１６ａの間の隙間を通り抜ける。
【００６１】
本実施形態では、前記したように、室内ファン１６を逆回転させて、室内ファン１６が設定回転速度Ｒｃに達したら、ファン清掃部２４のブラシ２４ｂをブラシ角度変更手段３１ｂ１での変更角度又はリモコン４０から指示された変更角度で、ファンブレード１６ａにファン清掃部２４のブラシ２４ｂを接触させる。これによって、ファンブレード１６ａの背面の先端付近にブラシ２４ｂが接触し、ファンブレード１６ａの背面の先端付近に溜まった塵埃が除去される。その結果、室内ファン１６に溜まった塵埃の大部分を除去できる。
【００６２】
また、室内ファン１６を逆回転させることによって、室内機Ｕｉ（図２参照）の内部で、正回転時（図４参照）とは逆向きの緩やかな空気の流れが生じる。したがって、室内ファン１６から除去された塵埃ｊが空気吹出口ｈ４（図２参照）には向かわず、図１０Ａに示すように、前側室内熱交換器１５ａと室内ファン１６との間の隙間を介して、露受皿１８に導かれる。
【００６３】
より詳しく説明すると、ブラシ２４ｂによって室内ファン１６から除去された塵埃ｊが、風圧で前側室内熱交換器１５ａに軽く押し付けられる。さらに、前記した塵埃ｊは、前側室内熱交換器１５ａの傾斜面（フィンｆの縁）に沿って、露受皿１８に落下する（図１０Ａの矢印を参照）。したがって、室内ファン１６と露受皿１８との間の微少な隙間を介して、上下風向板２３（図２参照）の裏面に塵埃ｊが付着することは、ほとんどない。これによって、次回の空調運転中に塵埃ｊが室内に吹き出されることを防止できる。
【００６４】
なお、室内ファン１６から除去された塵埃ｊの一部が、露受皿１８に落下せずに、前側室内熱交換器１５ａに付着する可能性もある。このように前側室内熱交換器１５ａに付着した塵埃ｊは、後記するステップＳ１０３の処理で洗い流される。
【００６５】
また、室内ファン１６の清掃中、制御部３０は、室内ファン１６を中・高速域の回転速度で駆動してもよいし、また、室内ファン１６を低速域の回転速度で駆動してもよい。
【００６６】
室内ファン１６の中・高速域の回転速度の範囲は、例えば３００ｍｉｎ−１（３００ｒｐｍ）以上かつ１７００ｍｉｎ−１（１７００ｒｐｍ）未満である。このように中・高速域で室内ファン１６を回転させることによって、前側室内熱交換器１５ａの方に塵埃ｊが向かいやすくなるため、前記したように、上下風向板２３（図２参照）の裏面に塵埃ｊが付着しにくくなる。したがって、次回の空調運転中に塵埃ｊが室内に吹き出されることを防止できる。
【００６７】
また、室内ファン１６の低速域の回転速度の範囲は、例えば、１００ｍｉｎ−１（１００ｒｐｍ）以上かつ３００ｍｉｎ−１（３００ｒｐｍ）未満である。このように低速域で室内ファン１６を回転させることによって、室内ファン１６の清掃を低騒音で行うことができる。
【００６８】
図９のステップＳ１０１の処理が終わった後、ステップＳ１０２において制御部３０は、ファン清掃部２４を移動させる。すなわち、制御部３０は、ブラシ２４ｂの先端が室内ファン１６に臨んだ状態（図１０Ａ参照）から、軸部２４ａを中心にブラシ２４ｂを約１８０−α°回動させ（図６Ａ参照）、ブラシ２４ｂの先端が室内熱交換器１５に臨むようにする（図１０Ｂ参照）。これによって、その後の空調運転中、ファン清掃部２４が空気の流れの妨げになることを防止できる。
【００６９】
次に、ステップＳ１０３において制御部３０は、室内熱交換器１５の凍結・解凍を順次に行う。まず、制御部３０は、室内熱交換器１５を蒸発器として機能させ、室内機Ｕｉに取り込まれた空気に含まれる水分を室内熱交換器１５に着霜させて凍結させる。なお、室内熱交換器１５を凍結させる処理は、室内熱交換器１５に「凝縮水を付着させる」という事項に含まれる。
【００７０】
室内熱交換器１５を凍結させているとき、制御部３０は、室内熱交換器１５に流入する冷媒の蒸発温度を低くすることが好ましい。すなわち、制御部３０は、室内熱交換器１５を蒸発器として機能させ、この室内熱交換器１５を凍結（凝縮水を付着）させているとき、通常の空調運転時よりも冷媒の蒸発温度が低くなるように、室内熱交換器１５に流入する冷媒の温度を調整する。
【００７１】
例えば、制御部３０は、膨張弁１４（図１参照）の開度を小さくすることによって、低圧で蒸発温度が低い冷媒を室内熱交換器１５に流入させる。これによって、室内熱交換器１５で霜や氷（図１０Ｂに示す符号ｉ）が成長しやすくなるため、その後の解凍中、室内熱交換器１５を多量の水で洗い流すことができる。
【００７２】
また、室内熱交換器１５において、ファン清掃部２４の下方に位置する領域は、室内熱交換器１５を通流する冷媒の流れの下流域ではない（つまり、上流域又は中流域である）ことが好ましい。これによって、少なくともファン清掃部２４の下方（下側）には、低温の気液二相冷媒が流れるため、室内熱交換器１５に付着する霜や氷の厚さを厚くすることができる。したがって、その後の解凍中、室内熱交換器１５を多量の水で洗い流すことができる。
【００７３】
なお、室内熱交換器１５においてファン清掃部２４の下方に位置する領域は、ファン清掃部２４によって室内ファン１６から掻き落とされた塵埃が付着しやすい。そこで、室内熱交換器１５においてファン清掃部２４の下方に位置する領域に低温の気液二相冷媒を流すことで、霜や氷が成長しやすくなり、さらに、これらの霜や氷を溶かすことで室内熱交換器１５の塵埃を適切に洗い流すことができる。
【００７４】
また、室内熱交換器１５を蒸発器として機能させ、この室内熱交換器１５を凍結（凝縮水を付着）させているとき、制御部３０は、上下風向板２３（図２参照）を閉じるか、又は、上下風向板２３の角度を水平よりも上向きにすることが好ましい。これによって、室内熱交換器１５で冷やされた低温の空気が室内に漏れ出ることを抑制し、ユーザにとって快適な状態で室内熱交換器１５の凍結等を行うことができる。
【００７５】
このようにして室内熱交換器１５を凍結させた後、制御部３０は、室内熱交換器１５を解凍する（図９のステップＳ１０３）。例えば、制御部３０は、各機器の停止状態を維持することで、室内熱交換器１５を室温で自然解凍させる。なお、制御部３０が送風運転を行うことによって、室内熱交換器１５に付着した霜や氷を溶かすようにしてもよい。室内熱交換器１５の解凍中の状態を、図１０Ｂを参照して説明する。
【００７６】
図１０Ｂは、実施形態に係る空気調和機１００において、室内熱交換器１５の解凍中の状態を示す説明図である。室内熱交換器１５が解凍されることで、室内熱交換器１５に付着した霜や氷が溶け、フィンｆを伝って露受皿１８に多量の水ｗが流れ落ちる。これによって、空調運転中に室内熱交換器１５に付着した塵埃ｊを洗い流すことができる。
【００７７】
また、ブラシ２４ｂによる室内ファン１６の清掃に伴って、前側室内熱交換器１５ａに付着した塵埃ｊも一緒に洗い流され、露受皿１８に流れ落ちる（図１０Ｂの矢印を参照）。このようにして露受皿１８に流れ落ちた水ｗは、室内ファン１６の清掃中に露受皿１８に直接的に落下した塵埃ｊ（図１０Ａ参照）とともに、ドレンホース（図示せず）を介して外部に排出される。前記したように、解凍中に室内熱交換器１５から多量の水が流れ落ちる、ドレンホース等（図示せず）が塵埃ｊで詰まるおそれはほとんどない。
【００７８】
なお、図９では省略しているが、室内熱交換器１５の凍結・解凍（ステップＳ１０３）を行った後、制御部３０が送風運転を行うことで、室内機Ｕｉの内部を乾燥させてもよい。これによって、室内熱交換器１５等に菌やカビが繁殖することを抑制できる。
【００７９】
＜ファン清掃部の動作＞
次に、図１１及び図１２を用いて、ファン清掃部２４の動作について説明する。
図１１は、実施形態に係る空気調和機１００の制御部３０が実行するファン清掃処理Ｓ２００を示すフローチャートである。図１２は、実施形態に係るファン清掃中のファン清掃部２４が室内ファン１６に当節又は離間する期間を示す説明図である。
【００８０】
ステップＳ２０１において、制御部３０は、初期値を設定する。初期設定項目として、清掃経過時間Ｔ、清掃時間ＣＴ、ブラシ角度調整値ｎ、清掃時間調整値ｍ、運転積算時間ＤＴ、運転積算時間閾値ＤＴｃ、回転速度Ｒ、設定回転速度Ｒｃ、初期ブラシ角度α０、ブラシ角度αがある。
【００８１】
ステップＳ２０２において、空気調和機１００の運転積算時間ＤＴが運転積算時間閾値ＤＴｃに到達しているか否かを判定する。運転積算時間ＤＴが運転積算時間閾値ＤＴｃに到達している場合（ステップＳ２０２，Ｙｅｓ）、ブラシ角度調整値ｎに＋１を加算し、ブラシ角度αを算出し（α＝α０−ｎΔα）、運転積算時間ＤＴを「０」（零）に設定し（ステップＳ２０３）、ステップＳ２０４に進む。他方、運転積算時間ＤＴが運転積算時間閾値ＤＴｃに到達していない場合（ステップＳ２０２，Ｎｏ）、ステップＳ２０４に進む。
【００８２】
ステップＳ２０３において、ブラシ２４ｂの角度を変更するのは、ブラシ２４ｂが劣化したと予想されるため、ブラシ２４ｂとファンブレード１６ａとの接触をよくするためである。
【００８３】
ステップＳ２０４において、制御部３０は、室内ファンモータ１６ｍを制御して室内ファン１６の回転を開始させ、室内ファン１６を加速させる。
【００８４】
ステップＳ２０５において、制御部３０は、室内ファン１６の回転速度が清掃時の設定回転速度Ｒｃ（例えば、設定回転速度Ｒｃ＝８００ｍｉｎ−１）に到達しているか否かを判定する。制御部３０は、室内ファン１６の回転速度が設定回転速度Ｒｃに到達していると判定する場合（ステップＳ２０５，Ｙｅｓ）、ステップＳ２１０へ進む。制御部３０は、室内ファン１６の回転速度が設定回転速度Ｒｃに到達していないと判定する場合（ステップＳ２０５，Ｎｏ）、ステップＳ２０５に戻る。
【００８５】
ステップＳ２１０において、制御部３０は、ファン清掃用モータ２４ｍを制御し、ファン清掃部２４を室内ファン１６に当接させる。すなわち、制御部３０は、室内ファン１６の加速後において、ファン清掃部２４と室内ファン１６とが接する位置に配置されるように、ファン清掃用モータ２４ｍを制御する。
【００８６】
また、ステップＳ２１０で、ファン清掃部２４を室内ファン１６に当接した際、ＰＭ（permanent magnet）型およびＨＢ型のステッピングモータであると、ファン清掃用モータ２４ｍに通電していない状態において、ディテントトルクを有するため、その位置を保持できる。しかし、ファン清掃時に確実にその位置を保持するため、制御部３０は、ブラシ２４ｂを所定角度まで駆動させた後に、送風ファンの清掃中にファン清掃用モータ２４ｍ（駆動装置）に所定角度で保持するための保持電流を流すとよい。なお、ＨＢ型モータとは、軸方向に着磁した円筒形磁石を、２枚の鉄製ロータ（回転子）でサンドウィッチ型に挟んだ構造である。
【００８７】
すなわち、制御部３０は、ファン清掃部２４を室内ファン１６に当接させた状態で、室内ファン１６が回転するように、室内ファンモータ１６ｍを制御する。これにより、ファン清掃部２４の耐久性を高めることができると共に、室内ファン１６の羽根に付着する塵埃を除去することが可能になる。
【００８８】
また、制御部３０は、ブラシ２４ｂを室内ファン１６にあてる直前（当接する直前）にブラシ２４ｂの回動速度を減速させるとよい。室内ファン１６は、設定回転速度Ｒｃで回転しているので、ブラシ２４ｂを当接した際の衝撃を弱めるとともに、ブラシ２４ｂの消耗を少なくすることができる。
【００８９】
また、制御部３０は、ファン清掃部２４と室内ファン１６とが当接する間、左右風向板２２が閉じるように、左右風向板用モータ２５を制御する。同様に、制御部３０は、ファン清掃部２４と室内ファン１６とが当接する間、上下風向板２３が閉じるように、上下風向板用モータ２６を制御する。これにより、空気調和機１００の静音性を向上させることができると共に、塵埃の拡散を防止し、ユーザが室内機Ｕｉの内部に手を入れることを防止することができる。
【００９０】
ステップＳ２１１において、制御部３０は、リモコン４０からのブラシ角度変更要求があるか否かを判定する。ブラシ角度変更要求がある場合（ステップＳ２１１，Ｙｅｓ）、ブラシ角度αを算出し（α＝α０−ｎΔα）、ブラシ角度αを変更し（ステップＳ２１２）、ステップＳ２１３に進む。ブラシ角度変更要求がない場合（ステップＳ２１１，Ｎｏ）、ステップＳ２１３に進む。
【００９１】
ステップＳ２１３において、制御部３０は、リモコン４０からの清掃時間変更要求があるか否かを判定する。清掃時間変更要求がある場合（ステップＳ２１３，Ｙｅｓ）、清掃時間ＣＴを算出し（ＣＴ＝ＣＴ０＋ｍΔＣＴ）、清掃時間ＣＴを変更し（ステップＳ２１４）、ステップＳ２１５に進む。清掃時間変更要求がない場合（ステップＳ２１３，Ｎｏ）、ステップＳ２１５に進む。
【００９２】
ステップＳ２１５において、制御部３０は、室内ファン１６の清掃経過時間Ｔが清掃時間ＣＴ（例えば、清掃時間ＣＴ＝５秒）に到達しているか否かを判定する。すなわち、制御部３０は、ファン清掃部２４が室内ファン１６に接触する時間を判定する。制御部３０は、室内ファン１６の清掃時間が清掃時間ＣＴに到達していると判定する場合（ステップＳ２１５，Ｙｅｓ）、ステップＳ２２０に進む。制御部３０は、室内ファン１６の清掃経過時間Ｔが清掃時間ＣＴに到達していないと判定する場合（ステップＳ２１５，Ｎｏ）、ステップＳ２１１に戻る。
【００９３】
ステップＳ２２０において、制御部３０は、ファン清掃用モータ２４ｍを制御し、ファン清掃部２４を室内ファン１６から離間させる。すなわち、制御部３０は、室内ファン１６の減速前において、ファン清掃部２４と室内ファン１６とが離れた位置に配置されるように、ファン清掃用モータ２４ｍを制御する。
【００９４】
ステップＳ２２１において、制御部３０は、室内ファンモータ１６ｍを制御して、室内ファン１６を減速させ、室内ファン１６の回転を終了させる。
【００９５】
ステップＳ２２２において、制御部３０は、設定値であるブラシ角度調整値ｎ、清掃時間調整値ｍを、記憶部３１ａに記憶する。
【００９６】
前記の処理によれば、制御部３０は、図１２に示す時刻ｔ０から時刻ｔ１までの期間（室内ファン１６の加速中）において、ファン清掃部２４と室内ファン１６とを離間させる。また、制御部３０は、図１２に示す時刻ｔ１から時刻ｔ２までの期間（室内ファン１６が設定回転速度Ｒｃで回転中）において、ファン清掃部２４と室内ファン１６とを当接させる。また、制御部３０は、図１２に示す時刻ｔ２から時刻ｔ３までの期間（室内ファン１６の減速中）において、ファン清掃部２４と室内ファン１６とを離間させる。時刻ｔ１から時刻ｔ２までの期間は、清掃時間ＣＴである。
【００９７】
これにより、室内ファン１６が回転を開始する際の加速中、或いは、室内ファン１６が回転を終了する際の減速中において、ファン清掃部２４と室内ファン１６とを離間させることができるため、ファン清掃部２４に負荷が掛かり、ファン清掃部２４が劣化し易くなるという問題を回避できる。また、室内ファン１６の回転速度の増加或いは減少に伴って、騒音が増大し、ユーザに不快感を与えてしまうという問題を回避できる。
【００９８】
＜効果＞
本実施形態に係る空気調和機１００によれば、従来の空気調和機と比較して、ファン清掃部２４のブラシ角度をブラシ２４ｂの劣化に合わせて変更することができるため、ファン清掃が適切にできる。
【００９９】
また、ブラシ角度は、リモコン４０により調整可能であり、ユーザや空気調和機のサービス員によって、最適なブラシ角度に変更することができる。また、ファン清掃時間も同様に、リモコン４０により調整可能であり、ユーザや空気調和機のサービス員によって、最適なファン清掃時間に変更することができる。
【０１００】
本実施形態に係る空気調和機１００によれば、従来の空気調和機と比較して、ファン清掃部２４と室内ファン１６とが当接する時間を短縮できるため、ファン清掃部の劣化を抑制し、静音性を高めた空気調和機を実現できる。
【０１０１】
本実施形態に係る空気調和機１００によれば、ファン清掃部２４と室内ファン１６とが当接する間、ファン清掃部２４と室内ファン１６とは、同じ方向に回転するため、ファン清掃部２４の耐久性を高めることができる。
【０１０２】
本実施形態に係る空気調和機１００によれば、ファン清掃部２４と室内ファン１６とが当接する間、ファン清掃部２４の角度は、室内ファン１６の先端面に対応して調整されるため、静音性を向上させることができる。
【０１０３】
本実施形態に係る空気調和機１００によれば、ファン清掃部２４と室内ファン１６とが当接する間、左右風向板２２及び上下風向板２３は閉じられるため、空気調和機１００の静音性を向上させることができると共に、塵埃の拡散を防止し、ユーザが誤って室内機Ｕｉの内部に手を入れてしまうことを防止することができる。
【０１０４】
本実施形態によれば、ファン清掃部２４によって室内ファン１６が清掃されるため（図９のＳ１０１）、室内に塵埃ｊが吹き出されることを抑制できる。また、前側室内熱交換器１５ａと室内ファン１６との間にファン清掃部２４が配置されるため、室内ファン１６からブラシ２４ｂで掻き落とされた塵埃ｊを露受皿１８に導くことができる。また、室内ファン１６の清掃中、制御部３０は、室内ファン１６を逆回転させる。これによって、前記した塵埃ｊが空気吹出口ｈ４に向かうことを防止できる。
【０１０５】
また、通常の空調運転中、ブラシ２４ｂが横方向に向いた状態であるため（図４参照）、ブラシ２４ｂの影響で空気の流れが妨げられることがほとんどない。さらに、空気の流れの上流域にファン清掃部２４が配置されていることと相まって、通常の空調運転中、ファン清掃部２４に起因する風量低下が抑制され、また、室内ファン１６の消費電力の増加も抑制される
【０１０６】
ちなみに、室内ファン１６に多量の塵埃が付着すると風量低下が生じ，室内熱交換器１５が過冷却(冷えすぎ)状態になり、冷房運転中に露垂れが生じる可能性がある。これに対して本実施形態では、前記したように、室内ファン１６が適切に清掃されるため、塵埃の付着に伴う室内ファン１６の風量低下が抑制される。したがって、本実施形態によれば、室内ファン１６の塵埃に起因する露垂れを防止できる。
【０１０７】
また、制御部３０が室内熱交換器１５の凍結・解凍を順次に行うことで（図９のＳ１０３）、室内熱交換器１５に付着していた塵埃ｊが水ｗで洗い流され、露受皿１８に流れ落ちる。このように本実施形態によれば、室内ファン１６を清潔な状態にすることができるとともに、室内熱交換器１５も清潔な状態にすることができる。したがって、空気調和機１００によって、快適な空調を行うことができる。また、室内熱交換器１５や室内ファン１６の清掃に要するユーザの手間やメンテナンス時の出費を低減できる。
【０１０８】
≪変形例≫
以上、本発明に係る空気調和機１００について実施形態で説明したが、本発明はこれらの記載に限定されるものではなく、種々の変更を行うことができる。
【０１０９】
本実施形態では、図５、図８Ａ、図８Ｂ、図１１において、ブラシ角度、清掃時間の変更手段に説明したが、これに限定されない。例えば、制御部３０は、ファン清掃部２４で室内ファン１６を清掃する際に、室内ファン１６の回転速度を初期設定時から変更する回転速度変更手段を有していてもよい。ブラシ２４ｂの劣化があるときに、室内ファン１６の回転速度を上げることにより、効果的にファン清掃を行うことができる。また、ファン清掃時の騒音が大きい場合に、室内ファン１６の回転速度を下げることにより、騒音の低減を図ることができる。制御部３０は、運転回数、又は／及び、前記運転積算時間に基づいて、室内ファン１６の回転速度を変更することができる。
【０１１０】
図１３は、別の変形例に係る空気調和機が備える室内ファン１６及びファン清掃部２４Ａを示す模式的な斜視図である。図１３に示す変形例では、ファン清掃部２４Ａが、室内ファン１６の軸方向に平行な棒状の軸部２４ｄと、この軸部２４ｄに設置されるブラシ２４ｅと、軸部２４ｄの両端に設置される一対の支持部２４ｆ，２４ｆと、を備えている。その他、ファン清掃部２４Ａは、図示はしないが、ファン清掃部２４Ａを軸方向等に移動させる移動機構も備えている。
【０１１１】
図１３に示すように、室内ファン１６の軸方向と平行な方向におけるファン清掃部２４Ａの長さは、室内ファン１６自体の軸方向の長さよりも短い。そして、室内ファン１６の清掃中、ファン清掃部２４Ａが、室内ファン１６の軸方向（室内機の正面から見て左右方向）に移動するようになっている。つまり、室内ファン１６の軸方向において、ファン清掃部２４Ａの長さに相当する所定領域ごとに、室内ファン１６が順次に清掃されるようになっている。このように、その長さが比較的短いファン清掃部２４Ａを移動させる構成にすることで、図３に示す構成に比べて、空気調和機の製造コストを削減できる。
【０１１２】
なお、軸部２４ｄと平行に延びる棒（図示せず）をファン清掃部２４Ａの付近（例えば、軸部２４ｄの上側）に設け、所定の移動機構（図示せず）が、この棒に沿ってファン清掃部２４Ａを移動させるようにしてもよい。また、ファン清掃部２４Ａによる清掃後、移動機構（図示せず）がファン清掃部２４Ａを適宜に回動又は平行移動させ、ファン清掃部２４Ａを室内ファン１６から退避させるようにしてもよい。
【０１１３】
また、実施形態では、制御部３０が、ファン清掃部２４を室内ファン１６に接触させ、通常の空調運転時とは逆向きに室内ファン１６を回転（逆回転）させる処理について説明したが、これに限らない。すなわち、制御部３０が、ファン清掃部２４を室内ファン１６に接触させ、通常の空調運転時と同一の向きに室内ファン１６を回転（正回転）させるようにしてもよい。この場合、前述したように、図６Ｂに示すように、ファン清掃時の初期状態とし、ブラシ２４ｂが劣化するにつれて、図６Ａの方向にブラシ角度を調整するとよい。
【０１１４】
このように室内ファン１６にブラシ２４ｂを接触させて、室内ファン１６を正回転させることで、ファンブレード１６ａの腹の先端付近に付着した塵埃が効果的に除去される。また、室内ファン１６を逆回転させるための回路素子が不要になるため、空気調和機１００の製造コストを削減できる。なお、清掃中に室内ファン１６を正回転させる際の回転速度は、実施形態と同様に、低速域・中速域・高速域のうちのいずれであってもよい。
【０１１５】
また、実施形態では、ファン清掃部２４の軸部２４ａを中心にブラシ２４ｂが回動する構成について説明したが、これに限らない。例えば、室内ファン１６を清掃する際には、制御部３０が、軸部２４ａを室内ファン１６の方に移動させ、ブラシ２４ｂを室内ファン１６に接触させるようにしてもよい。そして、室内ファン１６の清掃終了後は、制御部３０が、軸部２４ａを退避させ、ブラシ２４ｂを室内ファン１６から離間させるようにしてもよい。
【０１１６】
また、実施形態では、ファン清掃部２４がブラシ２４ｂを備える構成について説明したが、これに限らない。すなわち、室内ファン１６を清掃可能な部材であれば、スポンジ等を用いてもよい。
【０１１７】
また、実施形態では、室内熱交換器１５において、ファン清掃部２４の下方に位置する領域が、冷媒の流れの下流域ではない構成について説明したが、これに限らない。例えば、室内熱交換器１５において、その高さがファン清掃部２４よりも高い領域が、室内熱交換器１５を通流する冷媒の流れの下流域ではない（つまり、上流域又は中流域である）という構成であってもよい。より詳しく説明すると、前側室内熱交換器１５ａにおいて、通常の空調運転時に空気の流れの下流側に位置する領域であって、その高さがファン清掃部２４よりも高い領域は、室内熱交換器１５を通流する冷媒の流れの下流域ではないことが好ましい。このような構成によれば、前側室内熱交換器１５ａにおいて通常の空調運転時に空気の流れの下流側に位置する領域（図２に示す前側室内熱交換器１５ａの紙面右部）であって、その高さがファン清掃部２４よりも高い領域には、室内熱交換器１５の凍結に伴って、厚さが厚い霜が付着する。そして、その後に室内熱交換器１５を解凍させると、フィンｆを伝って多量の水が流れ落ちる。その結果、室内熱交換器１５に付着した塵埃（室内ファン１６から除去された塵埃を含む）を露受皿１８に洗い落とすことができる。
【０１１８】
また、実施形態では、室内ファン１６の清掃中、制御部３０が、ファン清掃部２４のブラシ２４ｂを室内ファン１６に接触させる構成について説明したが、これに限らない。すなわち、室内ファン１６の清掃中、制御部３０が、ファン清掃部２４のブラシ２４ｂを室内ファン１６に近接させるようにしてもよい。より詳しく説明すると、ファンブレード１６ａの先端に溜まって、この先端よりも径方向外側まで成長した塵埃を除去できる程度まで、制御部３０が室内ファン１６にブラシ２４ｂを近接させる。このような構成でも、室内ファン１６に溜まった塵埃を適切に除去できる。
【０１１９】
また、各実施形態では、室内熱交換器１５の凍結等によって、室内熱交換器１５を洗浄する処理について説明したが、これに限らない。例えば、室内熱交換器１５を結露させ、その結露水（凝縮水）で室内熱交換器１５を洗浄するようにしてもよい。例えば、制御部３０は、室内空気の温度及び相対湿に基づいて、室内空気の露点を算出する。そして、制御部３０は、室内熱交換器１５の温度が、前記した露点以下であり、かつ、所定の凍結温度よりも高くなるように、膨張弁１４の開度等を制御する。
【０１２０】
前記した「凍結温度」とは、室内空気の温度を低下させたとき、室内空気に含まれる水分が、室内熱交換器１５で凍結し始める温度である。このように室内熱交換器１５を結露させることによって、その結露水（凝縮水）で室内熱交換器１５の塵埃を洗い落とすことができる。
【０１２１】
また、制御部３０が、冷房運転や除湿運転を行うことによって、室内熱交換器１５を結露させ、その結露水（凝縮水）で室内熱交換器１５を洗浄するようにしてもよい。
【０１２２】
また、実施形態（図２参照）では、ファン清掃部２４の下方に室内熱交換器１５及び露受皿１８が存在する構成について説明したが、これに限らない。すなわち、ファン清掃部２４の下方に、室内熱交換器１５及び露受皿１８のうち少なくとも一方が存在している構成であってもよい。例えば、縦断面視で＜字状を呈する室内熱交換器１５の下部が鉛直方向に延びている構成において、ファン清掃部２４の下方（真下）に露受皿１８が存在していてもよい。
【０１２３】
また、実施形態では、室内機Ｕｉ（図１参照）及び室外機Ｕｏ（同図参照）が一台ずつ設けられる構成について説明したが、これに限らない。すなわち、並列接続された複数台の室内機を設けてもよいし、また、並列接続された複数台の室外機を設けてもよい。また、実施形態では、壁掛型の空気調和機１００について説明したが、他の種類の空気調和機にも適用することが可能である。
【０１２４】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。また、前記した機構や構成は説明上必要と考えられるものを示しており、製品上必ずしも全ての機構や構成を示しているとは限らない。
【符号の説明】
【０１２５】
１００  空気調和機
１１    圧縮機
１２    室外熱交換器
１３    室外ファン
１４    膨張弁
１５    室内熱交換器（熱交換器）
１５ａ  前側室内熱交換器（熱交換器）
１５ｂ  後側室内熱交換器（熱交換器）
１６    室内ファン（送風ファン）
１６ｍ    室内ファンモータ
１７    四方弁
１８    露受皿
２２    左右風向板
２３    上下風向板
２４    ファン清掃部
２４ａ  軸部
２４ｂ  ブラシ
２４ｍ  ファン清掃用モータ（駆動装置）
２９    塵埃受け部
３０    制御部
３１    室内制御部
３１ｂ１    ブラシ角度変更手段（ブラシ角度調整モード）
３１ｂ２    清掃時間変更手段（清掃時間調整モード）
４０    リモコン（空調制御端末）
４１    表示部
４５    上下キー
４６    機能ボタン
４７    設定ボタン
ＢＬ    ブラシ基準線
Ｋ    接触位置
ｍ    清掃時間調整値
ｎ    ブラシ角度調整値
Ｑ      冷媒回路
ｒ      凹部
Ｕｉ    室内機
Ｕｏ    室外機
α      ブラシ角度
【図１】
2019220489.tif 000003
【図２】
2019220489.tif 000004
【図３】
2019220489.tif 000005
【図４】
2019220489.tif 000006
【図５】
2019220489.tif 000007
【図６Ａ】
2019220489.tif 000008
【図６Ｂ】
2019220489.tif 000009
【図７】
2019220489.tif 000010
【図８Ａ】
2019220489.tif 000011
【図８Ｂ】
2019220489.tif 000012
【図９】
2019220489.tif 000013
【図１０Ａ】
2019220489.tif 000014
【図１０Ｂ】
2019220489.tif 000015
【図１１】
2019220489.tif 000016
【図１２】
2019220489.tif 000017
【図１３】
2019220489.tif 000018
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
室内熱交換器と、
送風ファンと、
前記送風ファンをブラシで清掃するファン清掃部と、
前記ブラシを前記送風ファンに接触する所定角度まで回転させる制御部と、を備え、
前記制御部は、前記所定角度を変更するブラシ角度変更手段を有する空気調和機。
【請求項２】
前記ブラシの角度を空調制御端末に表示し、前記ブラシの角度を調整可能なブラシ角度調整モードを備える
ことを特徴とする請求項１に記載の空気調和機。
【請求項３】
前記ファン清掃部は、前記ブラシの角度を変更する駆動装置を備え、
前記制御部は、前記駆動装置によって前記ブラシを所定角度まで回転させた後に、前記送風ファンの清掃中に前記駆動装置に前記所定角度で保持するための保持電流を流す
ことを特徴とする請求項１に記載の空気調和機。
【請求項４】
前記制御部は、前記ブラシを前記送風ファンにあてる直前に前記ブラシの回動速度を減速させる
ことを特徴とする請求項１に記載の空気調和機。
【請求項５】
室内熱交換器と、
送風ファンと、
前記送風ファンをブラシで清掃するファン清掃部と、
前記ファン清掃部を前記送風ファンに接触させる制御部と、を備え、
前記制御部は、前記ファン清掃部で前記送風ファンを清掃する際の前記送風ファンの回転速度を変更する回転速度変更手段を有する空気調和機。
【請求項６】
前記送風ファンの清掃時間を空調制御端末に表示し、前記送風ファンの清掃時間を調整可能な清掃時間調整モードを備える
ことを特徴とする請求項５に記載の空気調和機。
【手続補正２】
【補正対象書類名】明細書
【補正対象項目名】０００５
【補正方法】変更
【補正の内容】
【０００５】
そこで、本発明は、ブラシの劣化・静音性を考慮したファン清掃を行うことができる空気調和機を提供することを課題とする。
【手続補正３】
【補正対象書類名】明細書
【補正対象項目名】０００６
【補正方法】変更
【補正の内容】
【０００６】
前記課題を解決するために、本発明に係る空気調和機は、室内熱交換器と、送風ファンと、送風ファンをブラシで清掃するファン清掃部と、ブラシを送風ファンに接触する所定角度まで回転させる制御部と、を備え、制御部は、所定角度を変更するブラシ角度変更手段を有することを特徴とする。本発明のその他の態様については、後記する実施形態において説明する。
【手続補正４】
【補正対象書類名】明細書
【補正対象項目名】０００７
【補正方法】変更
【補正の内容】
【０００７】
本発明によれば、ブラシの劣化・静音性を考慮したファン清掃を行うことができる。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
室内熱交換器と、
送風ファンと、
前記送風ファンをブラシで清掃するファン清掃部と、
前記ブラシを前記送風ファンに接触する所定角度まで回転させる制御部と、を備え、
前記制御部は、前記所定角度を変更するブラシ角度変更手段を有し、
ユーザの操作に基づいて前記ブラシの角度を調整可能なブラシ角度調整モードを備える空気調和機。
【請求項２】
前記ファン清掃部は、前記ブラシの角度を変更する駆動装置を備え、
前記制御部は、前記駆動装置によって前記ブラシを所定角度まで回転させた後に、前記送風ファンの清掃中に前記駆動装置に前記所定角度で保持するための保持電流を流す
ことを特徴とする請求項１に記載の空気調和機。
【請求項３】
前記制御部は、前記ブラシを前記送風ファンにあてる直前に前記ブラシの回動速度を減速させる
ことを特徴とする請求項１に記載の空気調和機。
【請求項４】
前記制御部は、前記ファン清掃部で前記送風ファンを清掃する際の前記送風ファンの回転速度を変更する回転速度変更手段を有する
ことを特徴とする請求項１に記載の空気調和機。
【請求項５】
前記送風ファンの清掃時間を空調制御端末に表示し、前記送風ファンの清掃時間を調整可能な清掃時間調整モードを備える
ことを特徴とする請求項１に記載の空気調和機。
【手続補正２】
【補正対象書類名】明細書
【補正対象項目名】０００６
【補正方法】変更
【補正の内容】
【０００６】
前記課題を解決するために、本発明に係る空気調和機は、室内熱交換器と、送風ファンと、送風ファンをブラシで清掃するファン清掃部と、ブラシを送風ファンに接触する所定角度まで回転させる制御部と、を備え、制御部は、所定角度を変更するブラシ角度変更手段を有し、ユーザの操作に基づいてブラシの角度を調整可能なブラシ角度調整モードを備えることを特徴とする。本発明のその他の態様については、後記する実施形態において説明する。
【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
室内熱交換器と、
送風ファンと、
前記送風ファンをブラシで清掃するファン清掃部と、
前記ブラシを前記送風ファンに接触する所定角度まで回転させる制御部と、を備え、
前記制御部は、前記所定角度を変更するブラシ角度変更手段を有し、
ユーザの操作に基づいて前記ブラシの角度を調整可能なブラシ角度調整モードを備え、
前記ブラシ角度調整モードでは、前記ブラシの角度に係る設定値を空調制御端末に表示し、前記空調制御端末からのユーザの前記ブラシの角度に係る指示により前記ブラシ角度変更手段は前記所定角度を変更する空気調和機。
【請求項２】
前記ファン清掃部は、前記ブラシの角度を変更する駆動装置を備え、
前記制御部は、前記駆動装置によって前記ブラシを所定角度まで回転させた後に、前記送風ファンの清掃中に前記駆動装置に前記所定角度で保持するための保持電流を流す
ことを特徴とする請求項１に記載の空気調和機。
【請求項３】
前記制御部は、前記ブラシを前記送風ファンにあてる直前に前記ブラシの回動速度を減速させる
ことを特徴とする請求項１に記載の空気調和機。
【請求項４】
前記制御部は、前記ファン清掃部で前記送風ファンを清掃する際の前記送風ファンの回転速度を変更する回転速度変更手段を有する
ことを特徴とする請求項１に記載の空気調和機。
【請求項５】
前記送風ファンの清掃時間を空調制御端末に表示し、前記送風ファンの清掃時間を調整可能な清掃時間調整モードを備える
ことを特徴とする請求項１に記載の空気調和機。
【手続補正２】
【補正対象書類名】明細書
【補正対象項目名】０００６
【補正方法】変更
【補正の内容】
【０００６】
前記課題を解決するために、本発明に係る空気調和機は、室内熱交換器と、送風ファンと、送風ファンをブラシで清掃するファン清掃部と、ブラシを送風ファンに接触する所定角度まで回転させる制御部と、を備え、制御部は、所定角度を変更するブラシ角度変更手段を有し、ユーザの操作に基づいてブラシの角度を調整可能なブラシ角度調整モードを備え、ブラシ角度調整モードでは、ブラシの角度に係る設定値を空調制御端末に表示し、空調制御端末からのユーザのブラシの角度に係る指示によりブラシ角度変更手段は所定角度を変更することを特徴とする。本発明のその他の態様については、後記する実施形態において説明する。
【国際調査報告】
2019220489.tif 000019
2019220489.tif 000020